(57)【要約】【課題】板状記憶媒体用ホルダにおいて、異なる形状を有する板状記憶媒体であっても、上下方向に重ねて共通の開口部から挿脱することができ、着脱機構を共通化しながら、同様の確実性をもって容易に挿脱できるようにする。【解決手段】板状記憶媒体用ホルダの開口部から形状の異なる板状記憶媒体を挿入して収納できるようにし、イジェクタ部３により、回転レバー１３の端部に設けた係止爪１３ｂを板状記憶媒体の側部の係止凹部内に進出させて挿入位置で保持する。回転レバー１３は、スライド軸穴２ｊ、１２ａで幅方向に移動可能に回転支持され、イジェクトボタン９を奥側に押すことにより、係止爪１３ｂを手前側に押し出すとともに、幅方向に退避して、板状記憶媒体を手前側に抜脱する。【選択図】      図７
2004296144.tif 000002
【特許請求の範囲】
【請求項１】
表裏面のうちの一方の側に端子を有し、挿脱方向に対する側部に挿脱方向の位置を所定範囲に保持するための保持溝を有し、外形がそれぞれ異なる複数種類の板状記憶媒体を挿脱可能に収納する板状記憶媒体用ホルダであって、
前記複数種類の板状記憶媒体を、挿脱方向に直交する断面が互いに重なるようなそれぞれの位置に収納可能な板状記憶媒体収納部と、
該板状記憶媒体収納部の側方から、前記それぞれの保持溝内に進退可能に設けられ、進出時にはそれぞれの前記板状記憶媒体を引抜き困難な状態で前記板状記憶媒体収納部に保持し、退避時には前記保持面に前記板状記憶媒体を抜脱する押圧力を付勢しつつ、前記保持溝外部に退避することが可能な可動係合部と、
該可動係合部に押圧力を伝達して前記板状記憶媒体を抜脱する抜脱操作部とを備えたことを特徴とする板状記憶媒体用ホルダ。
【請求項２】
請求項１に記載の板状記憶媒体用ホルダにおいて、
前記可動係合部が、
前記保持溝に係合するために端部に設けられた保持爪と、前記抜脱操作部に連動して係合するための係合機構と、前記保持爪を前記保持面に抜脱する方向に回転させる回転軸とを有する回転アーム部材と、
該回転アーム部材の前記回転軸を前記板状記憶媒体の挿脱方向の側部に対して接離する方向に移動可能とする軸案内機構と、
前記回転軸が前記板状記憶媒体の前記側部に近づく方向に向けて、前記回転アーム部材に弾性力を付勢する付勢手段とを備えたことを特徴とする板状記憶媒体用ホルダ。
【請求項３】
請求項２に記載の板状記憶媒体用ホルダにおいて、
前記付勢手段が、前記板状記憶媒体を抜脱する押圧力を付勢する手段を兼ねることを特徴とする板状記憶媒体用ホルダ。
【請求項４】
請求項１〜３のいずれかに記載の板状記憶媒体用ホルダにおいて、
前記板状記憶媒体収容部が、
挿脱方向から見て、相対的に大きな長手幅を有する板状記憶媒体と相対的に小さな長手幅を有する板状記憶媒体とを、共通の開口部から挿入するものであって、
前記相対的に小さな幅を有する板状記憶媒体を前記相対的に大きな幅を有する板状記憶媒体の前記長手幅内に配置されたことを特徴とする板状記憶媒体用ホルダ。
【請求項５】
請求項１〜４のいずれかに記載の板状記憶媒体用ホルダにおいて、
挿入された前記板状記憶媒体とそれぞれ電気的に接続されたコネクタを備え、該コネクタと接続可能な相手コネクタを有する装置に対して、それらコネクタを介して着脱自在とされたことを特徴とする板状記憶媒体ホルダ。
【発明の詳細な説明】
【０００１】
【発明の属する技術分野】
本発明は、板状記憶媒体用ホルダに関する。
【０００２】
【従来の技術】
近年、デジタルカメラや、携帯電話などの各種端末機器としては、メモリカードなどの板状記憶媒体が差し込まれて、データの読み取りおよび／または書き込みを行うものが急速に普及してきている。板状記憶媒体には、例えば、いわゆるメモリースティック、ＳＤカード、メモリースティックデュオなどが知られている。
そして、使用する機器の多様化とメモリ容量の増大などにより、次々に新しい接続仕様や形状を有する板状記憶媒体が市場に投入されている。
一方、このような板状記憶媒体に記憶されたデータは、適宜のデータ読み込み手段により、パソコンに取り込まれることが多い。例えばＰＣＭＣＩＡ規格準拠のＰＣカードスロットを利用する場合がある。すなわち、ＰＣカードの外形やコネクタなどと互換性を有するＰＣカードアダプタ内に、板状記憶媒体を接続するスロットを設け、板状記憶媒体が接続されたＰＣカードアダプタをパソコンのＰＣカードスロットに差し込み、所定のＰＣカードインタフェースに準拠してデータ交換を行えるようにしている。
従来、このようなＰＣカードアダプタは、板状記憶媒体の形状に応じて種々の機械的インタファースで製作されている。例えば、特許文献１には、いわゆるＳＩＭカードを進退自在に保持するイジェクタを手動で進退させることが可能なＰＣカードアダプタとして用いることができるＰＣカードが記載されている。
【０００３】
【特許文献１】
特開２００２−２９８０９２号公報（第３−５頁、図１−３）
【０００４】
【発明が解決しようとする課題】
しかしながら、上記のような従来の板状記憶媒体用ホルダは、形状の異なる板状記憶媒体を共通の開口部から挿入することはできなかった。
例えば、従来用いられてきた形状の異なる板状記憶媒体として、図１２、１３にそれぞれ示したような形状を有する板状記憶媒体４０、５０がある。その形状の特徴について簡単に説明する。
図１２（ａ）、（ｂ）、（ｃ）は、それぞれ、板状記憶媒体４０の形状を説明するための裏面図、左側面図、平面図である。図１３（ａ）、（ｂ）、（ｃ）は、それぞれ、板状記憶媒体５０の形状を説明するための平面図、右側面図、裏面図である。
【０００５】
板状記憶媒体４０は、長さ×幅×厚さが、Ｌ１×Ｗ１×Ｈ１であるやや細長いほぼ直方体状の外形を有し、その内部に、不揮発メモリなどの記憶素子を含む回路基板からなる記憶媒体本体（いずれも不図示）を収めているものである。
そして、記憶媒体本体に導通する接続端子４０ａ…が、裏面４０ｅ（基準面）の先端面４０ｃ側にて内側に引っ込んだ状態に設けられ、端末機器などへ先端側から挿入して接続する構成がとられている。板状記憶媒体４０の先端角部の一方には、平面方向に曲線部４０ｂが形成され、その厚さ方向の裏面４０ｅ側に逃げ溝４０ｇが設けられている。その逃げ溝４０ｇの隣接方向後端側に、側部４０ｆ側から平面視Ｕ字状の係止凹部４０ｄが設けられている。係止凹部４０ｄは、板状記憶媒体４０を係合するため側部４０ｆ側から突出される突起物を係合する溝である。
面取り部４０ｂと反対側の側部４０ｆには、裏面４０ｅ側の長手方向の中間部に、側部４０ｆ側から平面視コ字状に係止凹部４０ｉが設けられている。係止凹部４０ｉは、側部４０ｆ側から見て幅寸法がＵ１、その奥行き寸法がＤ１とされている。
表面４０ｈは、裏面４０ｅにほぼ平行な平坦面をなしている。なお、板状記憶媒体４０の外周は、接続端子４０ａを除いて、絶縁体、もしくは接続端子４０ａおよび記憶媒体本体とは電気的に絶縁されている導電体から構成されている。
【０００６】
板状記憶媒体５０は、長さ×幅×厚さが、Ｌ２×Ｗ２×Ｈ２であるほぼ直方体状の外形を有し、その内部に、不揮発メモリなどの記憶素子を含む回路基板からなる記憶媒体本体（いずれも不図示）を収めているものである。
そして、記憶媒体本体に導通する接続端子５０ａ…が、裏面５０ｅ（基準面）の先端面５０ｃ側にて内側に引っ込んだ状態に設けられ、端末機器などへ先端側から挿入して接続する構成がとられている。板状記憶媒体５０の先端角部の一方には、平面方向に面取り部５０ｂが形成され、その厚さ方向の裏面５０ｅ側に係止溝５０ｇが設けられている。係止溝５０ｇの側面５０ｆ側には、先端に平坦な係止面５０ｉが形成されている。また係止溝５０ｇの隣接方向後端側に、側部５０ｆ側から平面視Ｕ字状の係止凹部５０ｄが設けられている。係止凹部５０ｄは、板状記憶媒体５０を係合するため側部５０ｆ側から突出される突起物を係合する溝である。
面取り部５０ｂと反対側の側部５０ｆには、長手方向の先端面５０ｃ側に、係止凹部５０ｄよりもやや先端側の位置に、裏面５０ｅ側から平面視コ字状に係止凹部５０ｊが設けられている。係止凹部５０ｊは、側部５０ｆ側から見て幅寸法がＵ２、その奥行き寸法がＤ２とされている。
表面５０ｈは、裏面５０ｅにほぼ平行な平坦面をなしている。なお、板状記憶媒体５０の外周は、接続端子５０ａを除いて、絶縁体、もしくは接続端子４０ａおよび記憶媒体本体とは電気的に絶縁されている導電体から構成されている。
【０００７】
板状記憶媒体４０、５０は、いずれも裏面４０ｅ、５０ｅの側に、接続端子４０ａ…、５０ａ…を備え、曲線部４０ｂおよび係止凹部４０ｄと、面取り部５０ｂおよび係止凹部５０ｄとは、挿入方向に対して左右の同方向に位置している。
また、それぞれの外形寸法は、Ｌ１＞Ｌ２、Ｗ１＞Ｗ２、Ｈ１＞Ｈ２の関係にあり、板状記憶媒体５０は、板状記憶媒体４０の占める体積の中に含まれる大きさとなっている。ただし本例では、Ｗ２はＷ１に対して数ミリ程度のわずかな差しか有していない。
さらに、接続端子４０ａ…と接続端子５０ａ…とでは、端子間の配設ピッチや信号の割り当てが異なっており、機械的・電気的な互換性を有していない。
【０００８】
そのため、例えば、板状記憶媒体４０、５０のいずれをも利用することができる端末機器を製作しようとすれば、それぞれに応じて複数の板状記憶媒体用ホルダを設けなければならず、端末機器を小型化することができないという問題があった。
例えばそのような板状記憶媒体用ホルダをＰＣカードアダプタとして設ける場合、ＰＣカードを複数枚差し込む必要があり、パソコンなどの貴重なＰＣカードスロットが占有されてしまうという問題があった。
それぞれの板状記憶媒体用ホルダを厚さ方向に重ねて設けることで設置面積を低減することも考えられるが、厚さ方向にスペースを取られるという問題があった。特にＰＣカードアダプタ内に設ける場合は、外形規格が決まっているために、例えば厚さ５ｍｍのＰＣカードＴｙｐｅＩＩに実装することが困難で、厚さ１０．５ｍｍのＰＣカードＴｙｐｅＩＩＩにしなければならないといったことが起こり、貴重なＰＣカードスロットが占有されてしまうという問題があった。
さらに、所望の大きさで複数種類の板状記憶媒体を配置できたとしても、例えば、挿脱の利便性を考慮してイジェクタ機構を用いる場合など、外形寸法が異なるために、単一のイジェクタ機構を利用することが難しく、複雑なイジェクト機構をそれぞれに応じて複数設けなければならず、製作費が高価につくという問題があった。
また、特許文献１に記載の技術では、複数種類の板状記憶媒体を共通の挿脱口から挿脱するための技術が記載されていないので、以上に述べたのと同様の問題がある。
【０００９】
本発明は、このような問題に鑑みてなされたものであって、異なる形状を有する板状記憶媒体、特に挿抜方向の幅がわずかに異なるような形状であっても、上下方向に重ねてそれぞれの挿抜方向の断面が重なり合う位置関係で共通の開口部から挿脱することができ、さらに着脱機構を共通化しながら、同様の確実性をもって容易に挿脱できる板状記憶媒体用ホルダを提供することを目的とする。
【００１０】
【課題を解決するための手段】
上記の課題を解決するために、請求項１に記載の発明では、表裏面のうちの一方の側に端子を有し、挿脱方向に対する側部に挿脱方向の位置を所定範囲に保持するための保持溝を有し、外形がそれぞれ異なる複数種類の板状記憶媒体を挿脱可能に収納する板状記憶媒体用ホルダであって、前記複数種類の板状記憶媒体を、挿脱方向に直交する断面が互いに重なるようなそれぞれの位置に収納可能な板状記憶媒体収納部と、該板状記憶媒体収納部の側方から、前記それぞれの保持溝内に進退可能に設けられ、進出時にはそれぞれの前記板状記憶媒体を引抜き困難な状態で前記板状記憶媒体収納部に保持し、退避時には前記保持面に前記板状記憶媒体を抜脱する押圧力を付勢しつつ、前記保持溝外部に退避することが可能な可動係合部と、該可動係合部に押圧力を伝達して前記板状記憶媒体を抜脱する抜脱操作部とを備えた構成とする。
この発明によれば、板状記憶媒体収納部に、複数種類の板状記憶媒体を挿脱方向に直交する断面が互いに重なるようなそれぞれの位置に収納するので、厚さ方向の寸法を小さくすることができる。また、保持溝内に進退して板状記憶媒体を板状記憶媒体収納部に保持し、抜脱操作部から伝達される押圧力を付勢しつつ保持溝から退避して板状記憶媒体を抜脱する可動係合部を設けたので、板状記憶媒体が保持溝を有していれば、保持溝が挿脱方向に直交する方向に異なる深さを有していても、可動係合部を深さ方向に進出させることにより、確実に保持溝と係合でき、また抜脱時に逆方向に退避させることにより、円滑に保持溝との係合を解除しながら抜脱することができる。
【００１１】
請求項２に記載の発明では、請求項１に記載の板状記憶媒体用ホルダにおいて、前記可動係合部が、前記保持溝に係合するために端部に設けられた保持爪と、前記抜脱操作部に連動して係合するための係合機構と、前記保持爪を前記保持面に抜脱する方向に回転させる回転軸とを有する回転アーム部材と、該回転アーム部材の前記回転軸を前記板状記憶媒体の挿脱方向の側部に対して接離する方向に移動可能とする軸案内機構と、前記回転軸が前記板状記憶媒体の前記側部に近づく方向に向けて、前記回転アーム部材に弾性力を付勢する付勢手段とを備えた構成とする。
この発明によれば、回転アーム部材が軸案内機構により、板状記憶媒体の側部に接離する方向に移動可能とされ、付勢手段によりその回転軸が板状記憶媒体に近づく方向に弾性力が付勢されているので、回転アーム部材の端部に設けられた保持爪が、板状記憶媒体の種類により保持溝の深さが変化しても、その変化に応じて保持爪を進出させることができる。その結果、保持爪が保持溝に確実に係合されるとともに、抜脱時に確実な押圧力を付勢できる。また、抜脱時に係止爪を保持溝から退避させて係合を解除する際、回転アーム部材の回転による移動の他に、軸案内機構による側部から離れる方向の移動を加味することができる結果、一層円滑に係合を解除することができる。
【００１２】
請求項３に記載の発明では、請求項２に記載の板状記憶媒体用ホルダにおいて、前記付勢手段が、前記板状記憶媒体を抜脱する押圧力を付勢する手段を兼ねる。
この発明によれば、付勢手段が板状記憶媒体を抜脱する押圧力も付勢するので、部品の共通化を図ることができる。
【００１３】
請求項４に記載の発明では、請求項１〜３のいずれかに記載の板状記憶媒体用ホルダにおいて、前記板状記憶媒体収容部が、挿脱方向から見て、相対的に大きな長手幅を有する板状記憶媒体と相対的に小さな長手幅を有する板状記憶媒体とを、共通の開口部から挿入するものであって、前記相対的に小さな幅を有する板状記憶媒体を前記相対的に大きな幅を有する板状記憶媒体の前記長手幅内に配置された構成とする。
この発明によれば、挿抜方向から見て、相対的に大きな長手幅を有する板状記憶媒体の長手幅内に相対的に小さな長手幅を有する板状記憶媒体を配置するので、幅方向の占有面積を低減することができる。
【００１４】
請求項５に記載の発明では、請求項１〜４のいずれかに記載の板状記憶媒体用ホルダにおいて、挿入された前記板状記憶媒体とそれぞれ電気的に接続されたコネクタを備え、該コネクタと接続可能な相手コネクタを有する装置に対して、それらコネクタを介して着脱自在とされた構成とする。
この発明によれば、板状記憶媒体用ホルダが他の装置に対して着脱自在とされることにより、複数種類の板状記憶媒体をコネクタと電気的に接続することができるので、機械的・電気的に異なる複数種類の板状記憶媒体であっても、接続互換性を有するようにすることができる。
【００１５】
【発明の実施の形態】
以下では、本発明の実施の形態を、添付図面を参照して説明する。
図１は、本発明の実施形態に係る板状記憶媒体用ホルダ１を説明するための斜視説明図である。図２は、本実施形態の板状記憶媒体用ホルダ１の基体をなすケーシング２を説明するための平面説明図である。図３（ａ）、（ｂ）は、本実施形態の板状記憶媒体用ホルダ１の板状記憶媒体収納部５を説明するための平面説明図およびそのＢ−Ｂ断面図である。図４（ａ）、（ｂ）は、本実施形態の板状記憶媒体用ホルダ１に板状記憶媒体５０、４０をそれぞれ挿入したときの位置関係を説明するための平面視および側面視の概略説明図である。図５（ａ）、（ｂ）は、同じく板状記憶媒体５０、４０を挿入した状態を図１のＡ視方向から見た側面説明図である。
【００１６】
本発明の実施形態に係る板状記憶媒体用ホルダ１について説明する。
本実施形態の板状記憶媒体用ホルダ１は、従来用いられているメモリカードなどの板状記憶媒体において形状の異なる複数種類を挿入可能として、板状記憶媒体本体とコネクタ７とを導通可能とし、コネクタ７を介して装置外部の適宜の電気回路基板と接続することにより、板状記憶媒体に対するデータの読み書きが可能となるものである。具体的には、例えばＰＣＭＣＩＡ規格準拠のＰＣカードスロットに挿脱可能なＰＣカードアダプタなどに好適に用いることができる。
以下では、特に板状記憶媒体４０（第１の板状記憶媒体）、板状記憶媒体５０（第２の板状記憶媒体）のような形状を有する場合の例について説明する。
【００１７】
なお、説明の簡単のために、相対的な位置関係を参照する際、図１に示したように、板状記憶媒体用ホルダ１が厚さ方向を鉛直に向けて水平方向に配置され、板状記憶媒体４０、５０が、手前側の開口部１１から奥側に挿入されるものとし、そのような配置に基づき、誤解の恐れのない範囲で、上下方向、挿抜方向、挿入方向、抜脱方向、奥側、手前側などと称する場合がある。ただし、これは本発明の板状記憶媒体用ホルダの実使用における配置姿勢を何ら限定するものではない。
【００１８】
本実施形態の板状記憶媒体用ホルダ１の概略構成は、図１に示したように、ケーシング２とそれを外側から覆うカバー４からなり、ケーシング２の挿脱方向手前側にイジェクトボタン９（抜脱操作部）、開口部１１が設けられている。ケーシング２の内部側に、イジェクタ部３（可動係合部）、板状記憶媒体収納部５、電子回路部６およびコネクタ７が設けられている。イジェクトボタン９とイジェクタ部３とは板状記憶媒体４０、５０を着脱する着脱機構となっている。
板状記憶媒体用ホルダ１の外形は、長さ×幅×厚さが、Ｌ３×Ｗ３×Ｈ３である大略矩形板状とされ、例えばＰＣＭＣＩＡ規格準拠のＰＣカードＴｙｐｅＩＩの外形寸法などを有する場合、Ｌ３＝８５．６ｍｍ、Ｗ３＝５４ｍｍ、Ｈ３＝５ｍｍである。
【００１９】
カバー４は、後述するケーシング２に沿って挿着されケーシング２内側のアース部と同電位とされた金属板からなり、所定規格の外形状を満足する形状を有している。
コネクタ７は、板状記憶媒体用ホルダ１の挿脱方向奥側に幅方向にわたって設けられ、板状記憶媒体用ホルダ１を適宜の端末機器やパソコンに挿着して電気的に接続可能とするものである。例えば、ＰＣカードスロットなどに挿着可能な雌型コネクタなどからなる。
電子回路部６は、板状記憶媒体４０または５０が板状記憶媒体用ホルダ１に挿入されたとき、それらが記憶するデータを、板状記憶媒体用ホルダ１の外部から与えられる制御信号に応じて、適宜のタイミングで適宜の電気的インタフェースに基づくデータ信号として、コネクタ７に送出したり、逆に外部のからの制御信号に応じて、板状記憶媒体４０または５０に所定形式でデータを書き込んだりするためのデータ入出力制御回路が設けられた電気回路基板からなる。そして、コネクタ７と後述する板状記憶媒体収納部５との間の平面視Ｌ字状をなす空間に配置され、コネクタ７と板状記憶媒体収納部５内の後述する基板８とにそれぞれ電気的に接続されている。
【００２０】
ケーシング２は、図２に示したように、平面視で概略矩形状をなし、その内部側に板状、梁状、軸状などの種々の構造を備える枠体からなる。
挿脱方向奥側には、コネクタ７を取り付けるためのコネクタ取付部２ｈが設けられ、その手前側には、電子回路部６を取り付けるための平面視Ｌ字状に区切られた回路基板取付部２ｇが設けられている。
開口部１１と回路基板取付部２ｇとの間には、板状記憶媒体収納部５を形成するため収納枠部２Ｘが設けられている。
収納枠部２Ｘの幅方向に隣接する領域には、イジェクタ部３を形成するためのイジェクタ取付部２Ｙが設けられている。
【００２１】
次に、板状記憶媒体収納部５について収納枠部２Ｘの詳細とともに説明する。板状記憶媒体収納部５は、基板８、回転ブロック１０Ａ…、１０Ｂ…、およびガイド板２０Ａ、２０Ｂが、収納枠部２Ｘに取り付けられてなる。
【００２２】
収納枠部２Ｘは、上側に基板８を水平方向に配置するための基板受け面２ｄが設けられている。基板受け面２ｄは、平面視では、奥側および手前側に後述する端子８ａ、端子８ｂを避けるためにそれぞれ穴２ｐ、２ｑが設けられている。
穴２ｐ、２ｑの挿脱方向の間では、基板受け面２ｄは幅方向に延びる梁状とされている。この梁の挿脱方向手前側の端面は、板状記憶媒体５０の先端面５０ｃを当接するための位置規制面となっている。
穴２ｑの幅方向端面は、板状記憶媒体５０が挿入される範囲で、板状記憶媒体５０を幅方向に位置規制するための左内側規制面２Ｄ、右内側規制面２Ｅとなっている。これらの幅方向の面間距離は、Ｗ２よりわずかに大きい幅ｗ２とされている。
【００２３】
右内側規制面２Ｅの奥側近傍には、板状記憶媒体５０の挿入時に係止溝５０ｇに入り込む誤挿入防止突起２ａが設けられている。
左内側規制面２Ｄと右内側規制面２Ｅの幅方向外側には、下面側に段差が形成され、その幅方向に板状記憶媒体４０を幅方向に位置規制するための左外側規制面２Ａ、右外側規制面２Ｂがそれぞれ設けられている。これらの幅方向の面間距離は、Ｗ１よりわずかに大きい幅ｗ１とされている。
【００２４】
左外側規制面２Ａと右外側規制面２Ｂとの間の基板受け面２ｄの裏面は、板状記憶媒体４０の裏面４０ｅを上側に位置規制する第１受け面２Ｃとされている。基板受け面２ｄと第１受け面２Ｃとの間の距離は、板状記憶媒体５０の高さＨ２より小さい距離とされている。このため、挿脱方向に直交する断面において、板状記憶媒体５０、４０の挿入位置の断面が重なりあうような位置関係とされている。
また、第１受け面２Ｃの右外側規制面２Ｂの奥側には、逃げ溝４０ｇの形状に合わせられた誤挿入防止突起２ｃが、第１受け面２Ｃから下側に向けて形成されている。誤挿入防止突起２ｃの下側近傍の第１受け面２Ｃには、板状記憶媒体４０の曲線部４０ｂおよび先端面４０ｃの奥側位置を位置規制するために、下側に突出された段差である奥側係止部２ｂが設けられている。
【００２５】
左外側規制面２Ａ、右外側規制面２Ｂの幅方向外側の、基板受け面２ｄ下側には、所定位置で幅方向内側に開口する平面視コ字状の壁面を有し後述する回転ブロック１０Ａ、１０Ｂを収容するための回転ブロック収納穴２ｅ…が設けられている。それぞれの回転ブロック収納穴２ｅ内には回転ブロック１０Ａ、１０Ｂを回転支持するために、基板受け面２ｄの裏面から鉛直下側に延ばされた回転軸２１が設けられている。
【００２６】
基板８は、図３、４に示したように、基板上面８ｄの奥側に接続端子４０ａ…と電気的に導通をとるために下側に折り曲げられたばね状の端子８ａ…を、同じく手前側に接続端子５０ａ…と電気的に導通をとるために下側に折り曲げられたばね状の端子８ｂ…を、それぞれ備える平面視大略矩形状の電気回路基板である。基板上面８ｃには、端子８ａ…、８ｂ…を電子回路部６へ導通させるための適宜の回路パタンが形成されている。
基板下面８ｃは、平滑な平面とされており、基板受け面２ｄに取り付けられた状態で、板状記憶媒体５０の裏面５０ｅを上側に位置規制する位置規制面とされている。
【００２７】
回転ブロック１０Ａ、１０Ｂは、回転軸２１に対して水平方向に回転可能に嵌合されることにより、収納枠部２Ｘとともに、板状記憶媒体５０、４０の挿入位置を規制するためのブロック部材である（図５参照）。
回転ブロック１０Ａ、１０Ｂは、挿脱方向に対して左右対称なので、以下では、図６を参照して回転ブロック１０Ｂについて説明し、回転ブロック１０Ａは、対応する部分に同一の符号を付してその説明を省略する。
図６（ａ）、（ｂ）は、回転ブロック１０Ｂの形状を説明するための平面図および正面図である。図６（ｃ）、（ｄ）は、それぞれ板状記憶媒体５０、４０を挿入したときの回転ブロック１０Ｂの状態を説明するための平面説明図である。
【００２８】
回転ブロック１０Ｂは、平面視で大略矩形状、正面視で大略Ｌ字状とされたブロック部材に、平面視Ｓ字形の板状薄片であるばね部１０ｆが設けられてなる。
そして、収納枠部２Ｘに取り付けた状態で水平方向に延ばされるアーム部１０Ｘの上面に板状記憶媒体５０の表面５０ｈ側を下側に位置規制する下面規制面１０ａを備え、その下面規制面１０ａに直交する方向に板状記憶媒体５０の側部５０ｆを位置規制する側面規制面１０ｂを備えている。回転ブロック１０Ｂの平面視の端部側には、側面規制面１０ｂと平行な円孔からなる軸受１０ｅが設けられている。
【００２９】
側面規制面１０ｂ、１０ｂは、取付状態で、それぞれ左内側規制面２Ｄ、右内側規制面２Ｅと幅方向に整列され、それぞれの間の距離が幅ｗ２とされている。
下面規制面１０ａ、１０ａは、基板受け面２ｄとの間の距離が高さＨ２よりわずかに大きい高さｈ２とされている。
ばね部１０ｆと反対側の略Ｌ字状の側面は、下面規制面１０ａおよび側面規制面１０ｂにそれぞれ直交する平面であるアーム部側面１０ｈが形成されている。アーム部側面１０ｈと、下面規制面１０ａ、側面規制面１０ｂとの間は、板状記憶媒体５０の挿入位置が多少ずれても、円滑に挿入できるように、面取り状の傾斜面である傾斜面１０ｃ、１０ｂがそれぞれ設けられている。
【００３０】
図３（ａ）、（ｂ）には、回転ブロック１０Ａ、１０Ｂの取付状態が示されている。
外力が働かない状態では、図６（ｃ）に示したように、アーム部側面１０ｈを開口部１１側に向けて、アーム部１０Ｘが挿脱方向と直交するように突き出されている。このとき、ばね部１０ｆは、ばね係止面２ｆに軽く押圧され、アーム部１０Ｘを開口部１１側に回転させる弾性力を付勢している。
アーム部１０Ｘに挿入方向に所定値以上の外力を加えられると、図６（ｄ）に示したように、ばね部１０ｆが屈曲され、アーム部１０Ｘが回転ブロック収納穴２ｅ側に回転して、回転ブロック収納穴２ｅ内に収納されるようになっている。
【００３１】
ガイド板２０Ａ、２０Ｂは、図３に示したように、ケーシング２の下面側に設けられた平面視略矩形状の板状部材であり、回転ブロック１０Ａ、１０Ｂを下面側から保持するばね受け面２０ｃと、板状記憶媒体４０の表面４０ｈを下側から位置規制するガイド面２０ａを備えている。
【００３２】
ばね受け面２０ｃは、回転ブロック収納穴２ｅの位置に応じて設けられた平面視コ字状の溝であり、取付状態で回転ブロック収納穴２ｅと合体して、幅方向外側へ凹状に設けられた角溝を形成している。
ガイド面２０ａは、幅方向内側に水平方向に突き出された板面であり、第１受け面２Ｃとの距離が高さＨ１よりわずかに大きい高さｈ１とされている。
したがって、図５（ａ）、（ｂ）に示したように、収納枠部２Ｘにおいては、板状記憶媒体５０、４０をそれぞれ、幅方向および高さ方向に位置規制して挿入することが可能となっている。また、平面視では、先端面４０ｃ、曲線部４０ｂ、先端面５０ｃ、係止溝５０ｇなどを位置規制することにより、図４（ａ）に示したような位置関係にそれぞれ挿入することが可能となっている。
【００３３】
次に、イジェクタ部３について、イジェクタ取付部２Ｙの詳細とともに説明する。
図７は、本発明の実施形態に係るイジェクタ部３を説明するための斜視分解説明図である。
イジェクタ部３は、イジェクトボタン９、コイルばね１４（付勢手段）、回転レバー１３（回転アーム部材）、支持板１２が、イジェクタ取付部２Ｙに取り付けられてなる。
【００３４】
イジェクタ取付部２Ｙは、イジェクタ支持板部２ｉ上に、イジェクトボタン９を挿脱方向に案内するための突条からなるスライドガイド２ｎと、回転レバー１３の下端を幅方向に移動可能に回転軸支持するための、例えば長穴などからなるスライド軸穴２ｊ（軸案内機構）と、コイルばね１４の一端を係止するためのばね係止ピン２ｋを設けたものである。
イジェクトボタン９は、開口部１１の幅方向に隣接して、挿脱方向に移動可能に支持された挿脱方向に延びるロッド状の部材であり、挿脱方向の手前側にボタン部９ａを備え、挿脱方向奥側にロッド部９ｂが延ばされ、その奥側端部に鉛直上方に延ばされた係合ピン９ｃ（係合機構）が設けられている。
ロッド部９ｂの裏面側には、スライドガイド２ｎと摺動自在に係合するためのスライド溝９ｄが設けられている。ボタン部９ａは、組立状態では、挿脱方向に嵌合可能なガイド孔２ｍ（図２参照）に挿脱方向に移動自在に係合されている。
【００３５】
回転レバー１３は、鉛直方向に回転軸１３ａを備えて水平面内で回転可能に支持されたレバー部材であり、一端部に係合ピン９ｃと回転の周方向に係合可能で回転の径方向にスライド移動可能な平面視Ｕ字状のスライド溝１３ｃ（係合機構）を備える。また、反対側の端部には、板状記憶媒体５０、４０の係止凹部５０ｊ、４０ｉ（保持溝）に水平方向に係合可能な係止爪１３ｂ（保持爪）を備える。
【００３６】
係止爪１３ｂは、下側が係止凹部４０ｉに係合するために挿脱方向に幅ｕ１（ｕ１＜Ｕ１）を有する下側先端面１３Ｂを備え、上側が係止凹部５０ｊに係合するための挿脱方向に幅ｕ２（ｕ２＜Ｕ２）を有する上側先端面１３Ａを備える側面視かぎ状の形状を有している。ただし、挿脱方向手前側の側面である押圧面１３Ｃは、上下で揃えられている。本実施形態では、上側先端面１３Ａは、下側先端面１３Ｂに比べて幅ｄだけ突出されている。
回転レバー１３の周方向の挿脱方向手前側には、回転レバー１３の回転を規制するための突起部１３ｄが設けられている。突起部１３ｄは、周方向に非対称な形状を有しており、周方向の係止爪１３ｂ側は緩やかな傾斜とされ、周方向のスライド溝１３ｃ側は、急峻な傾斜を有するか、もしくは突起と緩やかに係合する形状を有している。また、同じく周方向の挿脱方向奥側には、鉛直下方に延ばされて、コイルばね１４の他端を係止するためのばね係止ピン１３ｅ（不図示）が設けられている。
【００３７】
コイルばね１４は、係止爪１３ｂが挿脱方向手前側かつ幅方向の収納枠部２Ｘ側に向けられるように、回転レバー１３に対して弾性引張力を付勢するためのものである。
支持板１２は、イジェクトボタン９、回転レバー１３およびコイルばね１４をイジェクタ取付部２Ｙとの間に挟んで、特にボタン部９ａ、回転レバー１３を位置規制するためのものである。そのために、挿脱方向手前側にボタンガイド部１２ｄを備え、中央部のスライド軸穴２ｊ上に回転軸１３ａの上部を幅方向に移動可能に回転支持するための、例えば長穴などからなるスライド軸穴１２ａ（軸案内機構）を備えている。
スライド軸穴１２ａとボタンガイド部１２ｄとの間には、幅方向に延ばされた水平面内で可撓性を有し、その中央に挿脱方向奥側に突出する突起部１２ｂが形成された弾性梁１２ｃが設けられている。
突起部１２ｂは、突起部１３ｄを軽く係止する位置に設けられており、所定荷重以上の回転力が回転レバー１３に加わると、弾性梁１２ｃが撓んで、係止が解除されるようになっている。
【００３８】
次に、本実施形態の板状記憶媒体用ホルダ１の動作について説明する。
図８（ａ）、（ｂ）、図９（ｃ）、（ｄ）は、それぞれ板状記憶媒体用ホルダ１に板状記憶媒体４０を挿脱する概略動作を順次説明するための平面視の部分説明図である。図１０（ａ）、（ｂ）、図１１（ｃ）、（ｄ）は、それぞれ板状記憶媒体用ホルダ１に板状記憶媒体５０を挿脱する概略動作を順次説明するための平面視の部分説明図である。なお、回転ブロック１０Ｂは、常に回転ブロック１０Ａと対称的な動作をするので、図示を省略している。
【００３９】
まず、図８、９を参照して、板状記憶媒体４０を挿脱する動作について説明する。
板状記憶媒体４０は、裏面４０ｅを上側に向けて、開口部１１に挿入する。このとき、図５（ｂ）に示したように、高さ方向には、表面４０ｈ、裏面４０ｅが、ガイド面２０ａ、２０ａ（図３参照）および第１受け面２Ｃに位置規制されることにより、また、幅方向が左外側規制面２Ａ、右外側規制面２Ｂに位置規制されることにより、所定の位置精度で挿入することができる。
図８（ａ）に示したように、挿入を進めると、先端面４０ｃ、曲線部４０ｂが、回転ブロック１０Ａ、１０Ｂ（回転ブロック１０Ｂは不図示、以下同じ）と当接し、それらを押圧して、回転ブロック１０Ａ、１０Ｂをそれぞれ左右に回転させていく。回転ブロック１０Ａ、１０Ｂは、アーム部側面１０ｈを側部４０ｆ、４０ｆと略平行な位置まで退避し、左外側規制面２Ａ、右外側規制面２Ｂとともに、側部４０ｆ、４０ｆを幅方向に位置規制している。
【００４０】
一方、板状記憶媒体４０の挿入経路には、回転レバー１３が突出されている。そこで、先端面４０ｃは、押圧面１３Ｃに当接し、係止爪１３ｂを図示左回りに回転させながら奥側に挿入される。
このとき、回転レバー１３はコイルばね１４により幅方向に引張弾性力を付勢されているから、スライド軸穴２ｊ（１２ａ）の幅方向の板状記憶媒体４０側（図示右側）に位置している。同時に、スライド溝１３ｃも左回りに回転しているので、係合ピン９ｃを介してイジェクトボタン９が挿脱方向手前側への押出される。
【００４１】
さらに挿入が進むと、図８（ｂ）に示したように、回転レバー１３がさらに回転し、押圧面１３Ｃが左外側規制面２Ａの幅方向外側に退避して、先端面４０ｃの押圧を逃れ、その代わりに、下側先端面１３Ｂが側部４０ｆに当接するようになる。コイルばね１４はさらに引き伸ばされ、ますます大きな引張弾性力が付勢され、回転軸１３ａは、スライド軸穴２ｊ（１２ａ）の板状記憶媒体４０側に強く押し付けられる。このとき、下側先端面１３Ｂは、板状記憶媒体４０の上側に逃げている。
なお、図示では、回転軸１３ａがスライド軸穴２ｊ（１２ａ）の端面に当接しているように描かれているが、必ずしも当接していなくてもよい。その場合、下側先端面１３Ｂを介して、コイルばね１４の幅方向分力が側部４０ｆに伝達される。
【００４２】
一方、この動作に伴い、イジェクトボタン９はさらに手前に押出される。また、突起部１３ｄが突起部１２ｂに当接し、突起部１２ｂから回転の抵抗を受けるが、挿入力が上回るため、弾性梁１２ｃが撓んで、突起部１３ｄが突起部１２ｂを乗り越える
【００４３】
さらに挿入を進めると、図９（ｃ）に示したように、板状記憶媒体４０が奥側係止部２ｂと当接して、奥側の所定の挿入位置に到達し、板状記憶媒体４０の後端部が略開口部１１内に収まるように収納される。このとき、左右の逆差しされていれば、奥側係止部２ｂ、誤挿入防止突起２ｃの作用により、奥側の所定位置まで挿入することができないので、操作者には誤挿入であったことが分かる。
このとき、下側先端面１３Ｂの位置には、側部４０ｆの一部が幅方向に欠損する係止凹部４０ｉが位置するので、下側先端面１３Ｂが図示右方向に回転して、係止凹部４０ｉ内に入り込む。そして、押圧面１３Ｃが係止凹部４０ｉの手前側の壁面に当接する。このとき、下側先端面１３Ｂは、略挿脱方向と平行方向を向くように位置関係とされている。
したがって、図示とは異なりスライド軸穴２ｊ（１２ａ）が幅方向右側に広い場合には、回転レバー１３はさらに図示右側に押し付けられ、下側先端面１３Ｂと係止凹部４０ｉの幅方向の壁面が当接するように位置関係となって、さらに幅方向に深く係合することも可能である。
【００４４】
また、このとき、突起部１３ｄは、突起部１２ｂに図示右側から係止する位置関係にある。したがって、回転レバー１３は、係止凹部４０ｉおよび突起部１２ｂによって、回転を抑止される状態となっている。
このような状態で、板状記憶媒体４０を引っ張って抜脱しようとすると、第一に、板状記憶媒体４０の後端部が略開口部１１内に挿入されているため、手で掴んで引抜くことはできない。第二に、なんらかの手段で後端部を掴んだとすれば係止凹部４０ｉの幅が許す範囲で引抜くことができるものの、それ以上は係止爪１３ｂが閂状に係止凹部４０ｉに入り込んでいるため、回転レバー１３を回転させないと引抜くことができない。回転レバー１３は、突起部１２ｂと、急峻な傾斜を有するか、もしくは突起と緩やかに係合する形状を有する側で、係止されているので、比較的大きな力を加えない限り引抜くことができない。
このようにして、板状記憶媒体４０の挿入が完了し、挿入状態は保持される。
【００４５】
次に、板状記憶媒体４０は抜脱するには、図９（ｄ）に示したように、ボタン部９ａを挿脱方向の奥側に押し込む。つまり、係合ピン９ｃが奥側に押し込んで、回転レバー１３を図示右回りに回転させる押圧力を作用させる。すると、弾性梁１２ｃが撓んで突起部１３ｄが突起部１２ｂを乗り越えて回転を始める。
それと平行して、押圧面１３Ｃが係止凹部４０ｉを挿脱方向の手前側に押圧し、板状記憶媒体４０を抜脱する押圧力を付勢する。その際、下側先端面１３Ｂが係止凹部４０ｉの内部で回転しようとして、幅方向の板状記憶媒体４０から離れる方向（図示左側）に押圧分力を発生させる。
【００４６】
このような場合、下側先端面１３Ｂがある程度以上、係止凹部４０ｉの奥側に入り込んでいると、係止凹部４０ｉと下側先端面１３Ｂとが干渉して離脱できなくなる。従来のように回転軸１３ａ軸の位置が固定された機構では、下側先端面１３Ｂを係止凹部４０ｉに対して浅い位置に入り込ませなくてはならなかった。
一方、本実施形態においては、このような押圧分力が作用すると、スライド軸穴２ｊ（１２ａ）により幅方向に移動できるので、下側先端面１３Ｂは、挿脱方向手前側に回転しつつ幅方向に退避することにより、係止凹部４０ｉから円滑に離脱することができる。したがって、従来のように、係止凹部４０ｉとのかみ合いを少なくする必要がないから、押圧面１３Ｃの押圧力を確実に係止凹部４０ｉに伝達できるという利点がある。
なお、このとき、回転レバー１３が幅方向に移動しても、係合ピン９ｃはスライド溝１３ｃ内を移動できるので、係合ピン９ｃとの係合が回転レバー１３の回転および幅方向移動の妨げとならない。この点でも動作が円滑になっている。
【００４７】
こうして下側先端面１３Ｂが左外側規制面２Ａの外側に退避するまで、板状記憶媒体４０は抜脱方向に押圧力を付勢される。この状態で、板状記憶媒体４０は端子８ａとも接触しない状態となっているので、開口部１１より外側に突出した部分を手に持って容易に挿抜することができる。
なお、板状記憶媒体４０が抜脱されると、回転ブロック１０Ａ、１０Ｂは、それぞればね部１０ｆの作用により、挿入前のアーム部側面１０ｈを板状記憶媒体４０の挿入経路に進出させる位置に推し戻されているものである。
このようにして、板状記憶媒体４０の抜脱が完了する。このように本実施形態では、ボタン部９ａを押し込むという容易な操作で確実に板状記憶媒体４０を抜脱することができる。
【００４８】
次に、図１０、１１を参照して、板状記憶媒体５０を挿脱する動作について説明する。ただし、板状記憶媒体４０の挿脱動作と略同様に行われるので、上記と異なる点について簡単に説明する。
【００４９】
板状記憶媒体５０は、裏面５０ｅを上側に向けて開口部１１より挿入する。このとき、図５（ａ）に示したように、高さ方向には、表面５０ｈ、裏面５０ｅが、下面規制面１０ａ、１０ａおよび基板下面８ｃに位置規制されることにより、また、幅方向が左内側規制面２Ｄ、右内側規制面２Ｅに位置規制されることにより、所定の位置精度で挿入することができる。
このとき、実際の挿入時には、板状記憶媒体５０が開口部１１に対して傾斜して挿入される場合もあり、例えば角部５０ｍ（図１３参照）が回転ブロック１０Ａ、１０Ｂを押圧してそれらを回転させてしまう恐れもある。
本実施形態では、回転ブロック１０Ａ、１０Ｂに設けられたそれぞれの傾斜面１０ｃ、１０ｄが設けられているので、それらの傾斜に沿って板状記憶媒体５０が滑っていくことにより、挿入が進むにつれて所定の位置規制面に案内されていく。
【００５０】
挿入初期には、例えば開口部１１に対して上側から下側に傾斜して、挿入することが可能であるから、回転ブロック１０Ａ、１０Ｂも回転しやすい。しかし、挿入が進むにつれカバー天井面４ａなどの位置規制面に規制されて、板状記憶媒体５０の傾斜は徐々に水平の姿勢に近づくから、回転ブロック１０Ａ、１０Ｂへの当接角が小さくなり、傾斜面１０ｃ、１０ｄ上を滑りやすくなる。そして、回転ブロック１０Ａ、１０Ｂは、ばね部１０ｆにより挿入方向に直交する本来の位置に戻され位置規制が可能となる。
【００５１】
なお、より円滑で確実な挿入を行うためには、板状記憶媒体４０の挿入を妨げない程度にばね部１０ｆの弾性力を大きくするとともに、傾斜面１０ｃ、１０ｄの挿入方向奥側に向かって緩やかに増大する傾斜とし、角部５０ｍなどが当たっても滑って乗り越えやすい形状としておくことが好ましい。また、傾斜面１０ｃが、開口部１１側に広く露出するようにしておくことが好ましく、図６の寸法ｈをできるだけ小さくすることが好ましい。
【００５２】
このように、板状記憶媒体５０を挿入する際には、回転ブロック１０Ａ、１０Ｂは回転しないか、回転したとしても挿入の早期に、アーム部１０Ｘを板状記憶媒体５０の挿入経路下方に進出させる状態に戻り、その後は挿脱の全過程においてその位置を保持する。そこで、図１０、１１では、それらの図示を省略している。
【００５３】
図１０（ａ）に示したように、挿入を進めると、先端面５０ｃが係止爪１３ｂの上側の押圧面１３Ｃに当接し、係止爪１３ｂを図示左回りに回転させていく。
そして、挿入の進行とともに、図１０（ｂ）に示したように、回転レバー１３をさらに回転させ、上側先端面１３Ａが側部５０ｆ当接するようになる。
さらに、図１１（ｃ）に示したように、誤挿入防止突起２ａが係止溝５０ｇに入り込む所定の挿入位置に到達し、板状記憶媒体５０の後端部が略開口部１１内に収まるように収納される。
このとき、係止凹部４０ｉ、５０ｊの挿脱方向手前側の壁面は、略同位置に揃えられているので、回転レバー１３が板状記憶媒体４０を挿入した位置と略同角度となったときに、上側先端面１３Ａが係止凹部５０ｊ内に入り込む。そして、押圧面１３Ｃが係止凹部５０ｊの手前側の壁面に当接する。そして、突起部１３ｄが突起部１２ｂに係止されて、回転レバー１３の回転が抑止される状態となる。
このようにして、板状記憶媒体５０の挿入が完了し、挿入状態が保持される。
【００５４】
次に、板状記憶媒体５０を抜脱するには、図１１（ｄ）に示したように、ボタン部９ａを挿脱方向の奥側に押し込むことによって、押圧面１３Ｃを、板状記憶媒体５０を抜脱する方向に回転させるとともに、上側先端面１３Ａが板状記憶媒体５０から幅方向に離れる方向に退避させる。
こうして、板状記憶媒体５０を抜脱することができる。
【００５５】
以上に説明したように、本発明の実施形態に係る板状記憶媒体用ホルダによれば、板状記憶媒体４０と、板状記憶媒体４０と相対的に幅、厚さおよび奥行き寸法が異なり、その占有体積に含まれる形状を有する板状記憶媒体５０とを、共通の開口部から挿入して、挿入状態を引抜き不能に保持し、いずれの板状記憶媒体にも共通な機構を有するイジェクタ部３に連動するイジェクトボタン９を押し込むことにより、容易に抜脱することができる。
その際、挿脱方向に直交する断面が互いに重なりあうように開口部を形成するので、挿脱方向の直交する断面を比較的小さくすることができ、薄型化することができる板状記憶媒体用ホルダとすることができる。
さらに、イジェクタ部３において、回転レバー１３を幅方向に移動可能に回転支持することにより、係止爪１３ｂが係止凹部４０ｉ、５０ｊに比較的深く入り込んで係合することが可能となり、それにも係らず、そこから、円滑に離れることができ、挿入状態を安定して保持するとともに、抜脱の操作性を向上することができる。
【００５６】
なお、上記の説明では、係止凹部５０ｊ、４０ｉの位置が、挿脱方向の幅方向に略重なる位置にある例で説明したが、上側先端面１３Ａ、下側先端面１３Ｂの位置を適宜変更すれば、係止凹部５０ｊ、４０ｉの挿脱方向幅方向の位置が異なっても、同様の動作を行うことができる。したがって、本発明は、保持溝の形状や、幅方向の挿入位置などが異なる場合にも用いることができる。
【００５７】
また、上記の説明では、上側先端面１３Ａ、下側先端面１３Ｂが上下方向に段差をなして設けられている例で説明したが、保持溝の形状が、厚さ方向に貫通するような場合は、保持溝の上下位置を揃えることにより上下方向に段差のない保持爪を採用することもできる。
【００５８】
また、上記の説明では、上記の説明では、板状記憶媒体として、板状記憶媒体４０、５０の例で説明したが、これは一例であって、本発明の技術思想の範囲でこれらと寸法関係の異なるものであってもよいことは言うまでもない。
【００５９】
また、上記の説明では、板状記憶媒体の挿入経路内に進退して板状記憶媒体の形状に応じた位置規制面を形成する可動位置規制部材である回転ブロックとして、それが可動に保持されるために回転ブロックに一体化されたばね部により弾性力を付勢する構成として説明した。そうすれば、少ない部品点数で安価に装置を製作できる利点がある。
一方、回転ブロックを、ばね部の形状を除去して、ばね部と同様に弾性力を付勢可能な弾性部材を取り付ける構成としてもよい。弾性部材としては、例えば、金属製のねじりコイルばねや板ばねなどが好適に採用できる。例えば、回転ブロックを合成樹脂製として、これら弾性部材を係止したり、かしめたり、圧入したりすることができる。そうすれば、回転ブロックの回転頻度が高くても、高耐久性を有する信頼性の高い装置を構成できるという利点がある。
【００６０】
【発明の効果】
以上に述べたように、請求項１に記載の発明では、異なる形状を有する板状記憶媒体、特に挿抜方向の幅がわずかに異なるような形状であっても、上下方向に重ねてそれぞれの挿抜方向の断面が重なり合う位置関係で共通の開口部から挿脱することができるので、厚さ方向の寸法を小さくすることができ、さらに板状記憶媒体の側部の保持溝に進退させる可動係合部を備えることにより、保持溝の深さや奥行き方向の位置が異なっても共通の着脱機構で、板状記憶媒体を確実かつ容易に保持、抜脱を行うことができるという効果を奏する。
【００６１】
請求項２に記載の発明では、回転アーム部材の端部に設けられた保持爪が、板状記憶媒体の種類により保持溝の深さが変化しても、その変化に応じて保持爪を進出させることができるので、板状記憶媒体に対して、抜脱時に確実な押圧力を付勢でき、回転アーム部材の回転による移動と軸案内機構により側部から離れる方向への移動が同時に行えるため、円滑に係合を解除することができ、これらの結果、挿脱操作が確実かつ円滑となり操作性が向上できるという効果を奏する。
【００６２】
請求項３に記載の発明では、部品の共通化が図れるから安価な装置とすることができるという効果を奏する。
【００６３】
請求項４に記載の発明では、幅方向の占有面積を低減することができるので、より小型化が図れるという効果を奏する。
【００６４】
請求項５に記載の発明では、コネクタを備えて、板状記憶媒体用ホルダが他の装置に対して着脱自在とされることにより、機械的・電気的に異なる複数種類の板状記憶媒体に対して、接続互換性を有する汎用性に富んだ接続アダプタとすることができるという効果を奏する。
【図面の簡単な説明】
【図１】本発明の実施形態に係る板状記憶媒体用ホルダを説明するための斜視説明図である。
【図２】本実施形態の板状記憶媒体用ホルダの基体をなすケーシングを説明するための平面説明図である。
【図３】本実施形態の板状記憶媒体用ホルダの板状記憶媒体収納部を説明するための平面説明図およびそのＢ−Ｂ断面図である。
【図４】本実施形態の板状記憶媒体用ホルダに形状の異なる板状記憶媒体をそれぞれ挿入したときの位置関係を説明するための平面視および側面視の概略説明図である。
【図５】同じく形状の異なる板状記憶媒体を挿入した状態を図１のＡ視方向から見た側面説明図である。
【図６】本発明の実施形態に係る回転ブロックの形状を説明するための平面図および正面図である。
【図７】本発明の実施形態に係る可動係合部を説明するための斜視分解説明図である。
【図８】本発明の実施形態に係る板状記憶媒体用ホルダに板状記憶媒体の一つを挿脱する概略動作を説明するための平面視の部分説明図である。
【図９】同じく図８に続く概略動作を説明するための平面視の部分説明図である。
【図１０】本発明の実施形態に係る板状記憶媒体用ホルダに板状記憶媒体の他を挿脱する概略動作を説明するための平面視の部分説明図である。
【図１１】同じく図１０に続く概略動作を説明するための平面視の部分説明図である。
【図１２】従来用いられている板状記憶媒体の一例を説明するための裏面図、左側面図、平面図である。
【図１３】同じく板状記憶媒体の他例を説明するための平面図、右側面図、裏面図である。
【符号の説明】
１  板状記憶媒体用ホルダ
２ｊ、１２ａ  スライド軸穴（軸案内機構）
３  イジェクタ部（可動係合部）
４  カバー
５  板状記憶媒体収納部
７  コネクタ
８  基板
９  イジェクトボタン（抜脱操作部）
９ｃ  係合ピン（係合機構）
１１  開口部
１２ｂ  突起部
１３  回転レバー（回転アーム部材）
１３ａ  回転軸
１３ｂ  係止爪（保持爪）
１３ｃ  スライド溝（係合機構）
１３ｄ  突起部
１３Ａ  上側先端面
１３Ｂ  下側先端面
１３Ｃ  押圧面
１４  コイルばね（弾性部材）
２０Ａ、２０Ｂ  ガイド板
４０  板状記憶媒体（第１の板状記憶媒体）
４０ｉ、５０ｊ  係止凹部
５０  板状記憶媒体（第２の板状記憶媒体）
【図１】
2004296144.tif 000003
【図２】
2004296144.tif 000004
【図３】
2004296144.tif 000005
【図４】
2004296144.tif 000006
【図５】
2004296144.tif 000007
【図６】
2004296144.tif 000008
【図７】
2004296144.tif 000009
【図８】
2004296144.tif 000010
【図９】
2004296144.tif 000011
【図１０】
2004296144.tif 000012
【図１１】
2004296144.tif 000013
【図１２】
2004296144.tif 000014
【図１３】
2004296144.tif 000015